(57)【特許請求の範囲】
【請求項１】
上下方向にスライドする扉(61)により開口部(60)を開閉する貯氷庫において、
前記開口部(60)の下方位置に、左右方向に離間して一対の筒状の案内部材(63,63)が配設され、
前記扉(61)の下端部に、両端が両案内部材(63,63)の対向面に対して摺動する規制部材(64)が配設され、
前記各案内部材(63)の内部には、上方位置と下方位置とにおいて、該案内部材(63)から扉(61)側に穴部(63b)を介して係合部(71)が突出して該扉(61)のスライド縁部に弾力的に当接する係止部材(65a,65b)が設けられ、
前記扉(61)が開口部(60)を閉塞した際に、上側の係止部材(65a)の係合部(71)が規制部材(64)を下方から係合支持して、該扉(61)の閉塞状態を保持するよう構成した
ことを特徴とする貯氷庫。
【発明の詳細な説明】
【０００１】
【発明の属する技術分野】
本発明は貯氷庫に関し、更に詳細には、上下スライド式扉の開閉操作に際して、扉の開閉状態をそれぞれ円滑にかつ適正に保持し得るように構成した貯氷庫に関するものである。
【０００２】
【従来の技術】
一般に、自動製氷機の貯氷庫においては、庫内に貯留された角氷やその他の物品を随時取り出すことができるように、それぞれ開閉自在な扉が設けられている。そして、この種の扉は、外気との遮断を有効に行うために、扉本体の構造のみならず、その周囲部材を含めて断熱構造を採用して組付けられる、多数の部材からなる扉組立体として構成されている。
【０００３】
図５は、典型的な従来の横スライド式貯氷庫扉組立体１０を備えた自動製氷機の概略構成を示す斜視図である。この種の扉組立体１０においては、上下に設けたガイド溝に扉１２の上下端縁部がスライド可能に支持され、該ガイド溝に沿って扉１２をスライドすることで開口部が開閉される。
【０００４】
図６は、従来の自動製氷機等の貯氷庫における上下スライド式貯氷庫扉組立体１４の構成を示す分解斜視図である。すなわち、図６において、貯氷庫扉組立体１４は、フロントパネル１６と扉１８との結合に際し、前記フロントパネル１６の内面に断熱材保持パネル１７を重ね合わせ、その後面に扉１８を挾持するようにして、バックパネル１９を重ね合わせた構成からなる。そして、前記扉１８の両側部に対向して一対のガイドレール２０ａ,２０ｂを装着すると共に、前記扉１８の上端にワイヤ２１の一端２１ａを結合し、このワイヤ２１を前記断熱材保持パネル１７の上方に取付けるプーリ２２に巻き掛けて、前記扉１８をワイヤ２１で吊り下げる状態とし、更に前記ワイヤ２１の他端２１ｂに適当な重量からなるウエイト２３を適宜結合することによって、前記扉１８をフロントパネル１６に対し上下方向へのスライドを可能とした構成とされる。
【０００５】
【発明が解決しようとする課題】
図５に示す従来例では、扉１２を停止させるための適正な部材が無く、従って勢い良く扉１２を閉めると、反動で扉１２が開いた状態で停止したり、また扉１２を開ける場合においても、同様に扉が開ききらない等の難点がある。
【０００６】
また図６に示す従来例においても、前述した横スライド式貯氷庫扉組立体と同様に、扉１８を停止させるための適正な部材が無いため、勢い良く扉１８を閉めると、反動で扉１８が開いた状態で停止したり、また扉１８を開ける場合においても、扉１８が開ききらない等の難点がある。なお、ガイドレール２０ａ,２０ｂに沿って扉１８をスライドさせるため、両者の間には所要の隙間が設けられるが、この隙間のために扉１８がガタ付いて円滑なスライドが阻害されたり、あるいは冷気洩れを生ずる欠点がある。
【０００７】
【発明の目的】
本発明は、従来の技術に係る貯氷庫に内在している前記欠点に鑑み、これを好適に解決するべく提案されたものであって、扉の開閉操作に際し、該扉を円滑にスライドさせ得ると共に、開閉位置に確実に停止させることができる貯氷庫を提供することを目的とする。
【０００８】
【課題を解決するための手段】
前記課題を解決し、所期の目的を達成するため、本発明に係る貯氷庫は、
上下方向にスライドする扉により開口部を開閉する貯氷庫において、
前記開口部の下方位置に、左右方向に離間して一対の筒状の案内部材が配設され、
前記扉の下端部に、両端が両案内部材の対向面に対して摺動する規制部材が配設され、
前記各案内部材の内部には、上方位置と下方位置とにおいて、該案内部材から扉側に穴部を介して係合部が突出して該扉のスライド縁部に弾力的に当接する係止部材が設けられ、
前記扉が開口部を閉塞した際に、上側の係止部材の係合部が規制部材を下方から係合支持して、該扉の閉塞状態を保持するよう構成したことを特徴とする。
【００１０】
【発明の実施の形態】
次に、本発明に係る貯氷庫につき、好適な実施例を挙げて、添付図面を参照しながら以下詳細に説明する。図１は、参考例に係る貯氷庫の前部に配設される扉組立体を示すものであって、該扉組立体３０は、複数の部材からなるフロントパネルアッセンブリ３２と、扉３３およびバックパネル３４を備えた基本構成を有している。
【００１１】
前記フロントパネルアッセンブリ３２は、上部フロントパネル３１ａ、下部フロントパネル３１ｂおよび左右対称に形成される左右フロントパネル３１ｃ,３１ｄとから構成され、前記バックパネル３４との間に扉３３を取外し自在に挾持した構成からなる。
【００１２】
前記バックパネル３４は、下部に開口部３６が設けられると共に、両側内部は前記扉３３の両側縁部(両スライド縁部)を嵌合してその上下方向へスライド可能に案内するそれぞれ対称に形成されるガイド溝３７が設けられている。また、前記バックパネル３４の上部パネル内面には、所要の空間を保持するケース部３８が設けられると共に、バックパネル３４の頂部に、前記扉３３を一端において吊り下げてウエイトとのバランス下に上下方向へのスライドを可能とする一対のワイヤ３９をそれぞれ巻き掛けるプーリ４０を固定するブラケット４１が取付けられている。なお、参照符号４２は、前記一対のワイヤ３９の他端に結合され、前記ケース部３８内に上下移動可能に収納されるウエイトを示す。
【００１３】
また、前記バックパネル３４のガイド溝３７には、その上方位置と下方位置とにおいて、ガイド溝３７の内方に弾力的に突出するそれぞれ左右一対の係止部材(扉のスライド縁部に当接する手段)４４ａ,４４ｂを設ける。そして、前記ガイド溝３７に嵌合する扉３３の両側縁部において、その上方位置と下方位置とにそれぞれ凹部４８ａ,４８ｂを設けることによって、前記扉３３の開放時には、前記上側の係止部材４４ａと凹部４８ａを係合させて開放状態を保持することができると共に、前記扉３３の閉塞時には、前記下側の係止部材４４ｂと凹部４８ｂを係合させて閉塞状態を保持することができるように構成される。なお、図１において参照符号４５は、前記バックパネル３４の上方に設けた扉３３のストッパを示すと共に、参照符号４６は前記扉３３の下縁部に設けた開閉操作用ハンドルを示すものである。
【００１４】
図２(ａ),(ｂ)は、前記構成からなる扉３３を、扉組立体３０として組付けた場合における、ガイド溝２７に設けた係止部材４４ａ,４４ｂの構成と、前記扉３３に設けた凹部４８ａ,４８ｂに対する係止動作の詳細を示すものである。
【００１５】
すなわち、前記ガイド溝２７に設ける係止部材４４ａ,４４ｂの実施例としては、図示のように、扉３３の両側縁部に対して弾力的に当接するよう成形した板ばね５０により構成し、この板ばね５０の基部５１に対して、図示のようにねじ具等の止具５２により、ガイド溝２７の一部に着脱自在に取付ける。この場合、前記板ばね５０を取付けたガイド溝２７の一部において、基部５１から下方に延在する板ばね５０の係合部５４が扉３３の両側縁部に当接して弾力的に押し戻される際に、前記板ばね５０を内方へ受入れることができる凹部３７ａ,３７ｂをそれぞれ設ける。このように構成することにより、板ばね５０の弾力性を適正に保持することができると共に、前記ガイド溝２７に嵌合する扉３３の密閉性を高めることができる。
【００１６】
このように構成した係止部材４４ａ,４４ｂは、扉３３をガイド溝３７に沿ってスライドさせながら開閉動作を行なうに際し、扉３３の両側縁部に弾力的に当接する板ばね５０は、ブレーキ作用を発揮させながら扉３３をスライドさせ(図２(ａ)参照)、扉３３の凹部４８ａ,４８ｂへ確実に嵌入係合して(図２(ｂ)参照)、扉３３の開閉状態をそれぞれ適正に保持するように構成することができる。また扉３３の両側縁部に係止部材４４ａ,４４ｂが弾力的に当接するから、該扉３３がガタ付くのを抑制し、円滑なスライドを達成し得ると共に、ガタ付きによる隙間の発生を防止し、冷気洩れによる氷の溶解を抑制することができる。なお、図２(ｂ)に示すように、バックパネル３４の前記扉３３の下縁部が当接する部分には、適宜パッキン５３を配設することにより、扉３３による密閉性を高めて、外部への冷気洩れを防止するように構成されている。
【００１７】
また、扉３３とウエイト４２との重量バランスが崩れても、扉３３の開閉状態を適正に保持することができると共に、係止部材４４ａ,４４ｂとの係止状態を感触により容易に確認することができる。更に、係止部材４４ａ,４４ｂは、フロントパネルアッセンブリ３２の一部を取外すことにより、扉組立体３０の全部を取外すことなく、簡便にメンテナンス作業を行うことが可能である。
【００１８】
【実施例】
図３は、実施例に係る貯氷庫を示すものであって、該貯氷庫では、その前部に開設された開口部６０が、扉６１を下方にスライドすることで開放し、また該扉６１を上方にスライドすることで閉塞するよう構成される。貯氷庫の開口部６０を挟む幅方向の両側に一対のガイドレール６２,６２が対向的に配設され、前記扉６１の両側縁部(両スライド縁部)が該ガイドレール６２,６２に嵌合して上下にスライド可能に案内されるようになっている。また貯氷庫における開口部６０より下方位置には、幅方向に離間して一対の筒状の案内部材６３,６３が配設され、前記扉６１の下端部に配設された規制部材６４の幅方向の両端が、両案内部材６３,６３の対向面に対して摺動することで、冷気洩れを防止するよう構成される。なお、ガイドレール６２の材質としては高密度ポリエチレンが好適に用いられ、案内部材６３の材質としては金属が好適に用いられる。
【００１９】
前記各案内部材６３の内部には、その上方位置と下方位置とにおいて、該案内部材６３から扉側に弾力的に突出するそれぞれ左右一対の係止部材(扉のスライド縁部に当接する手段)６５ａ,６５ｂが設けられる。そして、前記扉６１を上下にスライドする際には、係止部材６５ａ,６５ｂが扉６１の両側縁部に弾力的に当接してブレーキ作用を付与し、また扉６１の閉塞時には、前記上側の係止部材６５ａと規制部材６４を係合させて閉塞状態を保持することができるように構成される。なお、図３において参照符号６６は、扉６１の開放時にその下端に当接するストッパを示すと共に、参照符号６７は前記扉６１の上縁部に設けた開閉操作用ハンドルを示す。
【００２０】
前記案内部材６３に設ける係止部材６５ａ,６５ｂの実施例としては、前述した実施例と同様に板ばね６８が好適に採用される。すなわち、図４に示す如く、案内部材６３の内面にねじ具等の止具６９により板ばね６８の基部７０が着脱可能に取付けられると共に、該基部７０から上方に延出するく字状に成形された板ばね６８の係合部７１が、前記規制部材６４が摺動する案内部材６３の内側壁６３ａに形成された角穴(穴部)６３ｂから外方(扉側)に突出し、該係合部７１が扉６１の両側縁部に対して弾力的に当接するよう構成される。なお角穴６３ｂの縁部は、内側壁６３ａの一部が内側に向けて折曲げられることでＲ形状となっており、前記規制部材６４が角穴６３ｂを通過する際に傷付いたり偏摩耗するのを防止し得るようになっている。
【００２１】
このように構成した実施例の貯氷庫では、前記扉６１をガイドレール６２に沿ってスライドさせながら開閉動作を行なうに際し、扉６１の両側縁部に弾力的に当接する板ばね６８(係止部材４４ａ,４４ｂ)によるブレーキ作用を発揮させながら扉６１をスライドさせることができ、扉６１が前記ストッパ６６に当接したときの衝撃や当接音等を低減し得る。また扉６１の両側縁部に板ばね６８が弾力的に当接するから、該扉６１がガタ付くのを抑制し、円滑なスライドを達成し得ると共に、ガタ付きによる隙間の発生を防止し、冷気洩れにより氷が溶けるのを抑制することができる。
【００２２】
更に、前記扉６１の閉塞時には、前記規制部材６４が板ばね６８に係合して(図４参照)、扉６１の閉塞状態を適正に保持することができる。なお規制部材６４は、扉６１の閉塞状態で前記板ばね６８の係合部７１に下方から係合支持されるよう構成されているから、該扉６１は確実に閉塞状態で保持される。また規制部材６４と板ばね６８との係合は、該板ばね６８の外方に突出する弾力より扉６１を下方に押す力が大きくなったときに解除される。
【００２３】
実施例では、板ばね６８を扉６１の規制部材６４における下面側に係合して閉塞状態を保持するよう構成してあるから、扉６１の側縁部に板ばね６８が係合する凹部を設ける必要はなく、加工工数を低減することができる。
【００２４】
以上、本発明の好適な実施例について説明したが、本発明は前記実施例に限定されることなく、各種の貯氷庫として広範囲に応用することができるばかりでなく、本発明の精神を逸脱しない範囲内において、多くの設計変更が可能である。例えば、係止部材は板ばねで構成する他に、圧縮コイルばねやゴム等の弾性部材により付勢される摺動部材を、扉の側縁部(スライド縁部)に対して弾力的に当接する構成が採用可能である。
【００２５】
【発明の効果】
以上に説明した如く、本発明に係る貯氷庫は、扉の両スライド縁部に対し弾力的に当接する手段を備えることで、該扉がガタ付くのを抑制し、円滑なスライドを達成し得る。また、扉がガタ付かないから隙間の発生を防止することができ、該隙間に起因する冷気洩れにより氷が溶けるのを抑制することができる。
【００２６】
また扉の開閉操作に際して、それぞれ所定の開閉位置に至る直前において、ブレーキ作用が発揮されるため、扉を勢い良く開閉操作しても衝撃による跳ね返りを抑え、扉を常に適正位置に係止して保持することができる。更に、係止部材の係合部が規制部材を下方から係合支持して扉の閉塞状態を保持するようにしたので、扉の側縁部に係止部材が係合する凹部を設ける必要はなく、加工工数を低減することができる。
【図面の簡単な説明】
【図１】参考例に係る貯氷庫の前部に配設される扉組立体を一部切欠いて示す斜視図である。
【図２】  図１に示す扉組立体の要部を示すものであって、(ａ)は係止部材のブレーキ作用を示す説明図であり、(ｂ)は係止部材による係止状態を示す説明図である。
【図３】  実施例に係る貯氷庫の正面図である。
【図４】  実施例に係る扉と係止部材との関係を示す説明図である。
【図５】  従来の横スライド式貯氷庫扉組立体を備えた自動製氷機の概略構成を示す斜視図である。
【図６】  従来の自動製氷機等における上下スライド式貯氷庫扉組立体の構成を示す分解斜視図である。
【符号の説明】
６０ 開口部，６１ 扉，６３ 案内部材，６３ｂ 角穴(穴部)，６４ 規制部材
６５ａ、６５ｂ 係止部材，７１ 係合部
【図１】
0004326128.tif 000002
【図２】
0004326128.tif 000003
【図３】
0004326128.tif 000004
【図４】
0004326128.tif 000005
【図５】
0004326128.tif 000006
【図６】
0004326128.tif 000007